(57)【特許請求の範囲】
【請求項１】
筐体と、当該筐体の第一面に設けられた複数の操作キーを有する操作部とを備え、前記操作キーが押下げられた場合にその操作が無効とされるキーロック状態と当該キーロック状態が解除されたキーロック解除状態とを取りうる電子機器であって、
前記複数の操作キーのうち２以上である所定数以上の前記操作キーが同時に押下げられたことを検知する第１押下げ検知手段と、
当該押下げられた操作キーが、予め設定された操作キーを含むか否かを検知する設定検知手段と、
当該押下げられた操作キーが前記予め設定された操作キーを含む場合に、現在の状態が前記キーロック状態であるときはキーロック解除状態を実行し、現在の状態が前記キーロック解除状態である時はキーロック処理を実行するロック制御手段と
を備え、
前記所定数以上の操作キーは、前記予め設定された操作キーと、任意のキーとを含む電子機器。
【請求項２】
前記第１押下げ検知手段は、前記複数の操作キーのうち隣接する前記所定数以上の操作キーが同時に押下げられたことを検知する請求項１に記載の電子機器。
【請求項３】
前記筺体は、片手で携帯可能な大きさであり、
前記予め設定された操作キーは、操作者が前記筺体を片手で携帯した際に当該片手の指によって押下げ可能な領域に配置されている請求項１又は請求項２に記載の電子機器。
【請求項４】
前記押下げが検知された場合に、当該押下げられた操作キーの前記操作部における配置領域を検出する配置領域検出手段を備え、
前記ロック制御手段は、前記所定数以上の操作キーが所定の領域に配置されている場合に、前記キーロック処理又は前記キーロック解除処理を行う請求項１又は請求項２に記載の電子機器。
【請求項５】
前記筐体の第二面に設けられた操作キーと、当該第二面に設けられた操作キーの押下げを検知する第２押下げ検知手段とを備え、
前記ロック制御手段は、前記第一面に設けられた操作キーの押下げが検知され、かつ前記第二面に設けられた操作キーの押下げが検知された場合に、前記キーロック処理又は前記キーロック解除処理を行う請求項１又は請求項２に記載の電子機器。
【請求項６】
前記所定数以上の操作キーの押下げ時間を計測する計測手段を備え、
前記ロック制御手段は、前記操作キーの押下げが検知され、かつ当該押下げ時間が予め設定された時間を超えた場合に、前記キーロック処理又は前記キーロック解除処理を行う請求項１又は請求項２に記載の電子機器。
【請求項７】
前記ロック制御部は、所定数以上の第１操作キーの押し下げが複数回連続して行われた場合に、現在の状態が前記キーロック状態であるときはキーロック解除状態を実行し、現在の状態が前記キーロック解除状態である時はキーロック処理を実行する請求項１に記載の電子機器。
【発明の詳細な説明】
【技術分野】
【０００１】
本発明は、複数の操作キーを有する携帯電話機等の電子機器に関するものである。
【背景技術】
【０００２】
近年、携帯電話機の中には、操作キーの誤動作等を防止するため、キーロック機能を有するものが増えている。例えば、特許文献１に記載の携帯電話機においては、互いに離れた英数字キーとファンクションキーとを、英数字キー、およびファンクションキーの順で押下げることにより、操作キーを作動不能化することができるとされている。
【先行技術文献】
【特許文献】
【０００３】
【特許文献１】特開２００３−３０９６２４号公報
【発明の概要】
【発明が解決しようとする課題】
【０００４】
しかし、上記特許文献１の携帯電話機では、キーロックを行うために、予め決められた操作キーを、あらかじめ決められた順序で押下げる必要があり、その手順が複雑で手間がかかるという課題があった。従って、より簡単な操作でキーロックを行えることが望まれている。
【０００５】
また、上述の課題は、キーロックの解除についても同様にあてはまると考えられ、キーロックの解除に複雑な操作が必要な携帯電話機においては、より簡単な操作でキーロックの解除を行えることが望まれる。
【課題を解決するための手段】
【０００６】
本発明の一態様に係る電子機器によれば、筐体と、当該筐体の第一面に設けられた複数の操作キーを有する操作部とを備えた電子機器であって、前記複数の操作キーのうち所定数以上の前記操作キーが同時に押下げられたことを検知する第１押下げ検知手段と、前記押下げが検知されると、キーロック処理又はキーロック解除処理を実行するロック制御手段とを備える。
【発明の効果】
【０００７】
本発明の一態様に係る電子機器によれば、より簡単な操作でキーロック又はキーロックの解除を行うことができる。
【図面の簡単な説明】
【０００８】
【図１】本発明の第１の実施形態による電子機器の外観斜視図である。
【図２】本発明の第１の実施形態による電子機器のブロック構成図である。
【図３】制御部によるキーロックをオンする動作を示すフローチャートである。
【図４】図１の電子機器がユーザの片手で携帯されたときの状態を示す図である。
【図５】図１の電子機器の外観斜視図において、キーロック用操作キーが配置される領域の一例を説明するための図である。
【図６】キーロック用操作キーが設定されている場合の制御部の動作を示すフローチャートである。
【図７】制御部によるキーロックをオンする動作の変形例を示すフローチャートである。
【図８】制御部によるキーロック解除処理の動作を示すフローチャートである。
【図９】キーロック解除用操作キーが設定されている場合の制御部の動作を示すフローチャートである。
【図１０】制御部によるキーロック解除処理の動作の変形例を示すフローチャートである。
【図１１】本発明の第２の実施形態による電子機器がユーザの片手で携帯されたときの状態を示す図である。
【図１２】図１１の電子機器の制御部によるキーロックをオンする処理の動作を示すフローチャートである。
【図１３】図１１の電子機器の制御部によるキーロック解除処理の動作を示すフローチャートである。
【図１４】本発明の第３の実施形態による電子機器のブロック構成図である。
【図１５】図１４の電子機器の制御部によるキーロック解除処理の動作を示すフローチャートである。
【発明を実施するための形態】
【０００９】
以下、本発明の実施形態について図面を参照しつつ説明する。
（第１の実施形態）
本発明の第１の実施形態による電子機器は、筐体と、当該筐体の正面（第一面）に設けられた複数の操作キーを有する操作部とを備え、複数の操作キーのうち所定数以上の操作キーが同時に押下げられたことを検知した場合に、キーロックをオンする処理を実行する。これは、比較的簡単な操作でキーロックを実行すること、例えば、ユーザ（操作者）が筺体を片手で携帯した場合に、当該片手の指によって所定数以上の任意の操作キーを押下げるだけでキーロックを実行することを可能にする。以下に、詳細に説明する。
【００１０】
＜構成＞
本実施形態の電子機器としては、例えば携帯電話機を挙げることができる。図１は、本発明の第１の実施形態による電子機器の外観斜視図であり、図２は、図１の電子機器のブロック構成図である。図１に示すように、携帯電話機１ａは、その外観に、筐体１０、表示部１１、第１の操作部１２、第２の操作部１３、スピーカ１４、およびマイク１５を有する。
【００１１】
また、図２に示すように、携帯電話機１ａは、Ｄ／Ａコンバータ１６、Ａ／Ｄコンバータ１７、振動部１８、制御部２０、ＲＯＭ２１（ＲＥＡＤ  ＯＮＬＹ  ＭＥＭＯＲＹ）、ＲＡＭ２２（ＲＡＮＤＯＭ  ＡＣＣＥＳＳ  ＭＥＭＯＲＹ）、Ｉ／Ｆ２３、撮影部２４、近距離通信部２５、無線回路２６、アンテナ２７、および電源制御部２８を有する。
【００１２】
表示部１１は、筐体１０の正面に設けられ、携帯電話機１ａに備えられた機能を実現するために必要な情報を表示する。必要な情報とは、例えば、機能メニュー、メール、アドレス帳、電話の着信履歴や発信履歴、メールの送信履歴や受信履歴、表示データフォルダに保存された情報、画像データなどを含む。表示部１１は、例えば液晶ディスプレイ、有機ＥＬ（ＥＬＥＣＴＲＯ  ＬＵＭＩＮＥＳＣＥＮＣＥ）ディスプレイ、プラズマディスプレイ、又は電子ペーパーなどであってよい。
【００１３】
第１の操作部１２は、筐体１０の正面（第一面）に設けられている。第１の操作部１２は、電源キー、メニューキー、発信キーなどのファンクションキーを主として含むファンクションキー部１２ａとＱｗｅｒｔｙキー部１２ｂとを有する。なお、本明細書において、第１面に配置された操作キー（以下、「第１操作キー」ともいう。）とは、ファンクションキー部１２ａ、及びＱｗｅｒｔｙキー部１２ｂを構成する各キーをいう。すなわち、複数の第１操作キーが集まって第１の操作部１２を構成している。
【００１４】
なお、Ｑｗｅｒｔｙキー部１２ｂを構成するＱｗｅｒｔｙキーの代わりにテンキーを採用してもよく、その場合は、Ｑｗｅｒｔｙキー部１２ｂは、テンキー部に置き換えられる。
【００１５】
第１の操作部１２は、ユーザからの入力操作を受け付ける。受け付けられた入力操作は、制御信号として制御部２０に入力される。制御部２０は、第１の操作部１２からの制御信号に応じて携帯電話機１ａに備えられた機能を実行する。
【００１６】
本実施形態による携帯電話機１ａでは、第１の操作部１２を構成する複数の第１操作キーのうち所定数以上の第１操作キーが同時に押下げられると、制御部２０は、キーロックをオンする処理（以下、「キーロック処理」ともいう）を実行する。
【００１７】
ここで、「キーロック」とは、操作キーによる入力、すなわち操作キーの押下げがあった場合でも、その操作を無効とする機能である。キーロック処理を行った場合、制御部２０は、その後に、第１の操作部１２又は第２の操作部１３から制御信号が入力されたとしても、その制御信号に応じた機能、例えば、表示部１１への表示等を行わない。
【００１８】
また、「同時に押下げられる」とは、押下げが同時に開始される場合だけでなく、押下げの開始のタイミングは異なるが、押下げられている時間が重なる場合も含まれる。すなわち、所定数以上の第１操作キーについて、押下げ開始のタイミングは異なっても、結果的に、ある時点で同時に押下げられていることが検知されれば、制御部２０は、キーロック処理を実行する。
【００１９】
また、キーロックの実行のために同時に押下げられるべき第１操作キーは、所定数以上の第１操作キーであれば、任意の第１操作キーであってよい。この場合、携帯電話機１ａは、所定数以上の第１操作キーが同時に押下げられると、押下げられた第１操作キーが第１の操作部１２におけるいずれの第１操作キーであってもキーロック処理を実行する。
【００２０】
なお、押下げられた所定数以上の第１操作キーの中に電源キーが含まれている場合には、電源をオフする処理を優先的に実行させてもよい。この場合の処理については、後述する。なお、ここでいう電源キーとは、携帯電話機１ａの電源をオン・オフするキーである。
【００２１】
また、上記所定数、すなわちキーロックを実行するために同時に押下げられるべき第１操作キーの数の下限値は、ユーザの利便性を考慮すると小さい方がよいが、第１操作キーを同時に押すことにより実行される他の操作と混同しないように、少なくとも３以上、例えば、５以上であってもよい。以下では、一例として、下限値を「３」として説明する。
【００２２】
第２の操作部１３は、筐体１０の表面に設けられ、より詳細には、矩形状の筐体１０の側面（第二面）に設けられる。第２の操作部１３は、カメラを機動するためのカメラボタンや、音量を調整するためのボリュームボタンを含む、複数の操作キー（以下、「第２操作キー」ともいう。）を有する。
【００２３】
スピーカ１４は、制御部２０からの制御信号によって外部に音を出力する機能を有する。スピーカ１４は、Ｄ／Ａコンバータ１６を介して制御部２０と接続されている。Ｄ／Ａコンバータ１６は、制御部２０から入力されたデジタル信号をアナログ信号に変換する。変換されたアナログ信号は、スピーカ１４へと出力される。
【００２４】
マイク１５は、音声などの外部からの音の入力を受け付ける機能を有する。入力された音は、アナログ信号としてＡ／Ｄコンバータ１７に出力される。マイク１５は、Ａ／Ｄコ
ンバータ１７を介して制御部２０と接続されている。Ａ／Ｄコンバータ１７は入力されたアナログ信号をデジタル信号へと変換して、制御部２０へ出力する。
【００２５】
振動部１８は、制御部２０からの制御信号によって機械的振動を生じる。振動部１６は、例えば、モーターなどから構成され、着信、メールの受信、アラーム日時の到来などを機械的振動としてユーザへ報知する。
【００２６】
制御部２０は、携帯電話機１ａに備えられた機能やハードウェアを制御する。また、第１の操作部１２および第２の操作部１３からの制御信号の入力により携帯電話機１ａに備えられた各種機能を実行する。
【００２７】
ＲＯＭ２１は、携帯電話機１ａに備えられた機能を実行するためのプログラムやデータなどを記憶する。制御部２０は、ＲＯＭ２１へアクセス可能であり、機能を実行するために必要なプログラムやデータなどを読み出す。
【００２８】
ＲＡＭ２２は、制御部２０からアクセス可能であり、制御部２０の作業記憶領域やバッファ領域として利用される。
【００２９】
Ｉ／Ｆ２３には、着脱可能な外部メモリＭが装着される。制御部２０は、Ｉ／Ｆ２３を介して外部メモリＭへのアクセスが可能であり、例えば外部メモリＭに記憶されたプログラムやデータなどを読み出し実行する。外部メモリＭは、プログラムやデータなどを記憶する媒体であればよく、例えば、メモリーカード、ＨＤＤ（ＨＡＲＤ  ＤＩＳＣ  ＤＲＩＶＥ）、ＳＩＭカードなどがある。また上記プログラムやデータには、外部メモリＭから直接読み出し実行可能なプログラムに限られず、暗号化されたプログラム、圧縮処理されたプログラム、画像データ、音声データ、文章データなどが含まれる。
【００３０】
撮影部２４は、カメラ機能やビデオ機能を備える。撮影部２４は、例えば、ＣＣＤ（ＣＨＡＲＧＥ  ＣＯＵＰＬＥＤ  ＤＥＶＩＣＥ）カメラやＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなどにより構成
される。なお撮影部２４は、図１に示した筐体１０の正面の反対側の面（裏面）に備えられているため、図１には図示していない。
【００３１】
近距離通信部２５は、赤外線通信などの近距離無線通信を行う。近距離通信部２５は、例えば、アドレス帳に登録された発信先情報やデータフォルダに記憶された画像データを近距離にいる通信相手先と送受信する。
【００３２】
無線回路２６は、アンテナ２７から入力された所定の高周波信号に復調処理及び復号処理を施してデジタルの音声信号へと変換する。また、制御部２０から入力されたデジタルの音声信号には符号化処理及び変調処理を施して、所定の高周波信号に変換する。そして、無線回路２６は所定の高周波信号をアンテナ２７へ出力する。
【００３３】
アンテナ２７は、所定周波数の電磁波を受信して所定の高周波信号として無線回路２６に出力する。また無線回路２６より出力された所定の高周波信号を所定周波数の電磁波として出力する。
【００３４】
電源制御部２８は、電源Ｐｗとしての電池の残量の測定を行うとともに、制御部２０の指示に基づいて、必要な電圧を必要な期間、各構成要素へ供給する。
【００３５】
なお、本発明の実施例に係る携帯電話機１ａは、ストレート型の携帯電話機としたが、第１の操作部１２を備えていれば、折り畳み型やスライド型の携帯電話機であってもよい
。
【００３６】
＜キーロックをオンする動作＞
以下に、本実施の形態による携帯電話機１ａにおけるキーロックをオンする動作について、図３のフローチャートを用いて説明する。ここでは、携帯電話機１ａが、待ち受け状態のみならず任意の状態において、キーロックをオンすることが可能であるとして説明を行う。図３に示すように、制御部２０は、第１操作部１２における第１操作キーの押下げがあるか否かを監視している（ステップ１：Ｓ１）。制御部２０は、第１操作キーの押下げを検知すると（Ｓ１においてＹＥＳ）、現在の状態がキーロック解除状態、すなわちキーロックが解除され、操作キーによる操作が可能な状態であるか否かを検知する（ステップ２：Ｓ２）。
【００３７】
現在の状態がキーロック解除状態でない場合（Ｓ２においてＮＯ）、携帯電話機１ａは、キーロック状態であるので、制御部２０は、処理を終了する。
【００３８】
現在の状態がキーロック解除状態である場合（Ｓ２においてＹＥＳ）、制御部２０は、同時に３以上の第１操作キーが押下げられたか否かを検知する（ステップ３：Ｓ３）。同時に３以上の第１操作キーが押下げられた場合（Ｓ３においてＹＥＳ）、制御部２０は、キーロック処理を行う（ステップ４：Ｓ４）。
【００３９】
同時に押下げられた第１操作キーが３未満である場合（Ｓ３においてＮＯ）、制御部２０は、押下げられた第１操作キーに対応する処理、すなわちそれらの第１操作キーが押下げられた場合に実行すべき処理を実行する（ステップ５：Ｓ５）。なお、同時に押下げられた第１操作キーが３未満である場合とは、３以上の第１操作キーが個別に押下げられた場合も含まれる。ここで、個別に押下げられた場合とは、３以上の第１操作キーの押下げ開始のタイミングが異なり、かつ押下げられている時間が全て異なるか、２つの第１操作キーについて重なるのみであり、３つの第１操作キーについて全て重なるということがない場合をいう。
【００４０】
以上のように、本実施形態による携帯電話機１ａによれば、３以上の第１操作キーを同時に押下げるだけでキーロック状態にすることができるため、キーロックをより簡単に、より短時間で実行することができる。
【００４１】
また、上述の方法では、キーロックを開始するための第１操作キーを予め設定する必要がないため、ユーザは、どの第１操作キーがキーロック用の第１操作キーであるかを覚える必要がなく、キーロックをより容易に実行することができる。
【００４２】
なお、上述の例では、３以上の第１操作キーを同時に押下げるだけでキーロック状態にすることができるとしたが、これらの第１操作キーは隣接する第１操作キーであってよい。例えば、ユーザ（操作者）が筺体を片手で携帯し、当該片手の指（例えば、親指）によって所定数以上の第１操作キーを押下げると仮定すると、隣接する３以上の第１操作キーが押下げられたときに、キーロック状態にするとしても操作性がそれほど劣ることはないと考えられる。また、互いに離れた位置にある第１操作キーを誤って押下げた場合の誤動作を防止することにもつながる。
【００４３】
また、ユーザがキーロックを行う意図がないのに、複数の第１操作キーが同時に押下げられることにより、キーロックされてしまうという誤動作をより効果的に防止するために、キーロックを開始するための第１操作キー（以下、「キーロック用第１操作キー」ともいう。）を予め設定していてもよい。その場合、キーロック用の第１操作キーは、ユーザの利用し易さの観点から、Ｑｗｅｒｔｙキー１２ｂの中から選択されることが好ましい。
【００４４】
また、キーロック用第１操作キーの数は、必ずしも３以上でなくてよく、２以下であってもよい。その場合は、同時に押下げられた３以上の第１操作キーの中にキーロック用第１操作キーが全て含まれていれば、キーロック処理が実行されることになっていてもよい。また、同時に押下げられた３以上の第１操作キーの中に、少なくとも１つのキーロック用第１操作キーが含まれていれば、キーロック処理が実行されるように設定することも可能である。
【００４５】
また、キーロック用第１操作キーが予め設定される場合、キーロックを実行するためには、それらの第１操作キーを確実に押下げる必要がある。よって、キーロック用第１操作キーとして、ユーザが押し難い第１操作キーを設定してしまうと、キーロックを容易に行うことができなくなり、ユーザの利便性が低減する。従って、携帯電話機１ａが、例えば片手で携帯可能な大きさの筺体１０を備えている場合、キーロック用第１操作キーは、ユーザ（操作者）が筺体１０を片手で携帯した際に当該片手の指（例えば、親指）によって押下げ可能な領域に配置されていることが好ましい（図４，図５参照）。この場合、キーロック用第１操作キーは、例えば、図５に示すように、第１の操作部１２の隅部Ａｒ１，Ａｒ２に配置された第１操作キーであってもよい。
【００４６】
また、キーロック用第１操作キーをユーザが設定することが可能な場合には、自分が携帯電話機１ａを片手で携帯した際に、その片手の指によって押下げ可能な領域に配置された第１操作キーをキーロック用操作キーとして設定することができる。
【００４７】
以下に、キーロック用第１操作キーが予め設定されている場合の制御部２０の動作を、図６のフローチャートを用いて説明する。なお、以下では、同時に押下げられた第１操作キーの中にキーロック用第１操作キーが全て含まれているときにキーロック処理が実行される場合を例に挙げて説明を行う。図６に示すように、制御部２０は、第１操作キーの押下げがあるか否かを監視している（ステップ１１：Ｓ１１）。制御部２０は、第１操作キーの押下げを検知すると（Ｓ１１においてＹＥＳ）、現在の状態が第１操作キーによる操作が可能なキーロック解除状態であるか否かを検知する（ステップ１２：Ｓ１２）。
【００４８】
キーロック解除状態でない場合（Ｓ１２においてＮＯ）、キーロック状態であるので、制御部２０は、処理を終了する。
【００４９】
現在の状態がキーロック解除状態である場合（Ｓ１２においてＹＥＳ）、制御部２０は、同時に３以上の第１操作キーが押下げられたか否かを検知する（ステップ１３：Ｓ１３）。
【００５０】
同時に３以上の第１操作キーが押下げられた場合（Ｓ１３においてＹＥＳ）、制御部２０は、押下げられた第１操作キーが予め設定された複数のキーロック用第１操作キーを全て含んでいるか否かを検知する（ステップ１４：Ｓ１４）。キーロック用第１操作キーを全て含んでいる場合（ステップＳ１４においてＹＥＳ）、制御部２０は、キーロック処理を行う（ステップ１５：Ｓ１５）。
【００５１】
ステップ１３において、同時に押下げられた第１操作キーが３未満である場合（Ｓ１３においてＮＯ）、およびステップＳ１４において、押下げられた第１操作キーがキーロック用第１操作キーを全て含んでいない場合（Ｓ１４においてＮＯ）、制御部２０は、押下げられた第１操作キーに対応する処理、すなわちそれらの第１操作キーが押下げられた場合に実行すべき処理を実行する（ステップ１６：Ｓ１６）。
【００５２】
なお、上述の例では、３以上の第１操作キーが同時に押下げられた場合に、制御部２０は、それらの３以上の第１操作キーの中にキーロック用第１操作キーが全て含まれている
か否かを検知したが、他の変形例として、３以上の第１操作キーが同時に押下げられた場合に、当該押下げられた各第１操作キーの操作部における配置領域を検出してもよい。そして、制御部２０は、所定数以上の第１操作キーが予め決められた領域（例えば、Ａｒ１，Ａｒ２）に配置されていることを検知した場合に、キーロック処理を行うこととしてもよい。
【００５３】
さらに、上述の例では、キーロックは、携帯電話機１ａが待ち受け状態のみならず任意の状態において、キーロックをオンすることが可能である場合について説明したが、待ち受け状態の場合のみ、キーロックをオンすることが可能であってもよい。
【００５４】
また、上述の例では、同時に押下げられた第１操作キーが３未満である場合等には、押下げられた第１操作キーに対応する処理を実行することとしたが、押下げられた第１操作キーに対応する処理が存在しない場合には、制御部２０は、そのまま処理を終了してもよい。
【００５５】
さらには、上述したように、押下げられた所定数以上の第１操作キーの中に電源キーが含まれている場合には、電源をオフする処理を優先的に実行させることもできる。
【００５６】
以上のような（ｉ）携帯電話１ａが、待ち受け状態の場合のみ、キーロックをオンすることが可能な場合、（ｉｉ）押下げられた第１操作キーに対応する処理が存在しない場合、および（ｉｉｉ）押下げられた所定数以上の第１操作キーの中に電源キーが含まれているときに、電源をオフする処理を優先的に実行させる場合の制御部２０の動作をそれぞれ理解しやすくするために、以下にフローチャート用いて説明する。図７は、図３の例において、さらに（ｉ）〜（ｉｉｉ）を考慮したときの制御部２０の動作を示すフローチャートである。なお、（ｉ）〜（ｉｉｉ）は、必ずしも同時に考慮される必要はなく、これらのうち１または２の場合が考慮されてもよい。その場合には、図７のフローチャートは適宜変更されてよい。
【００５７】
図７に示すように、制御部２０は、第１操作部１２における第１操作キーの押下げがあるか否かを監視している（ステップ２１：Ｓ２１）。制御部２０は、第１操作キーの押下げを検知すると（Ｓ２１においてＹＥＳ）、現在の状態がキーロック解除状態、すなわちキーロックが解除され、操作キーによる操作が可能な状態であるか否かを検知する（ステップ２２：Ｓ２２）。
【００５８】
現在の状態がキーロック解除状態でない場合（Ｓ２２においてＮＯ）、携帯電話機１ａは、キーロック状態であるので、制御部２０は、処理を終了する。
【００５９】
現在の状態がキーロック解除状態である場合（Ｓ２２においてＹＥＳ）、制御部２０は、同時に３以上の第１操作キーが押下げられたか否かを検知する（ステップ２３：Ｓ２３）。同時に３以上の第１操作キーが押下げられた場合（Ｓ２３においてＹＥＳ）、制御部２０は、押下げられた第１操作キーの中に電源キーが含まれるか否かを検知する（ステップ２４：Ｓ２４）。
【００６０】
押下げられた第１操作キーの電源キーが含まれている場合（Ｓ２４においてＹＥＳ）、制御部２０は、電源をオフさせる（ステップ２５：Ｓ２５）。具体的には、電源制御部２８を制御して、電源Ｐｗによる携帯電話１ａの各構成要素への電圧供給を停止させる。
【００６１】
押下げられた第１操作キーの中に電源キーが含まれていない場合（Ｓ２４においてＮＯ）、制御部２０は、現在の状態が待ち受け状態が否か検知する（ステップ２６：Ｓ２６）。現在の状態が待ち受け状態の場合（Ｓ２６においてＹＥＳ）、制御部２０は、キーロック処理を行う（ステップ２７：Ｓ２７）。
【００６２】
同時に押下げられた第１操作キーが３未満である場合（Ｓ２３においてＮＯ）、および現在の状態が待ち受け状態でない場合（Ｓ２６においてＮＯ）、制御部２０は、押下げられた第１操作キーに対応する処理があるか否か検知する（ステップ２８：Ｓ２８）。
【００６３】
押下げられた第１操作キーに対応する処理がある場合（Ｓ２８においてＹＥＳ）、押下げられた第１操作キーに対応する処理、すなわちそれらの第１操作キーが押下げられた場合に実行すべき処理を実行する（ステップ２９：Ｓ２９）。
【００６４】
押下げられた第１操作キーに対応する処理がない場合（Ｓ２８においてＮＯ）、制御部２０は、処理を終了する。
【００６５】
＜キーロック解除の動作＞
上述の携帯電話機１ａは、複数の第１操作キーのうち３以上の第１操作キーが同時に押下げられた場合に、キーロック処理を実行するが、キーロック処理の代わりにキーロックの解除処理を実行してもよい。キーロック解除における制御部２０の動作を図８のフローチャートを用いて説明する。
【００６６】
図８に示すように、制御部２０は、第１操作キーの押下げがあるか否かを監視している（ステップ３１：Ｓ３１）。制御部２０は、第１操作キーの押下げを検知すると（Ｓ３１においてＹＥＳ）、現在の状態が第１操作キーによる操作が不能なキーロック状態であるか否かを検知する（ステップ３２：Ｓ３２）。
【００６７】
現在の状態がキーロック状態である場合（Ｓ３２においてＹＥＳ）、制御部２０は、同時に３以上の第１操作キーが押下げられたか否かを検知する（ステップ３３：Ｓ３３）。同時に３以上の第１操作キーが押下げられた場合（Ｓ３３においてＹＥＳ）、制御部２０は、キーロック解除処理を行う（ステップ３４：Ｓ３４）。
【００６８】
同時に押下げられた第１操作キーが３未満である場合（Ｓ３３においてＮＯ）、制御部２０は、処理を終了する。なお、同時に押下げられた第１操作キーが３未満である場合とは、３以上の第１操作キーが個別に押下げられた場合も含まれる。
【００６９】
ステップ３２において、現在の状態がキーロック状態でない場合（Ｓ３２においてＮＯ）、制御部２０は、押下げられた第１操作キーに対応する処理、すなわちそれらの第１操作キーが押下げられた場合に実行すべき処理を実行する（ステップ３５：Ｓ３５）。
【００７０】
以上のように、本実施形態による携帯電話機１ａによれば、３以上の第１操作キーを同時に押下げるだけでキーロックを解除することができるため、キーロック解除をより簡単に、より短時間で実行することができる。
【００７１】
また、上述の例は、所定数以上の第１操作キーが同時に押下げられると、押下げられた第１操作キーがどのような組み合わせであってもキーロック解除が実行される例であるが、キーロック解除を開始するための第１操作キー（以下、「ロック解除用第１操作キー」ともいう。）を予め設定していてもよい。この場合の携帯電話機１ａの動作を以下に説明する。
【００７２】
図９に示すように、制御部２０は、第１操作キーの押下げがあるか否かを監視している（ステップ４１：Ｓ４１）。制御部２０は、第１操作キーの押下げを検知すると（Ｓ４１においてＹＥＳ）、現在の状態がキーロック状態であるか否かを検知する（ステップ４２
：Ｓ４２）。
【００７３】
現在の状態がキーロック解除状態である場合（Ｓ４２においてＹＥＳ）、制御部２０は、同時に３以上の第１操作キーが押下げられたか否かを検知する（ステップ４３：Ｓ４３）。
【００７４】
同時に３以上の第１操作キーが押下げられた場合（Ｓ４３においてＹＥＳ）、制御部２０は、押下げられた第１操作キーが予め設定された複数のロック解除用第１操作キーを全て含んでいるか否かを検知する（ステップ４４：Ｓ４４）。複数のロック解除用第１操作キーを全て含んでいる場合（ステップＳ４４においてＹＥＳ）、制御部２０は、キーロック解除処理を行う（ステップ４５：Ｓ４５）。
【００７５】
キーロック解除状態でない場合（Ｓ４２においてＮＯ）、制御部２０は、押下げられた第１操作キーに対応する処理、すなわちそれらの第１操作キーが押下げられた場合に実行すべき処理を実行する（ステップＳ４６）。
【００７６】
ステップ３３において、同時に押下げられた第１操作キーが３未満である場合（Ｓ４３においてＮＯ）、およびステップＳ４４において、押下げられた第１操作キーが複数のロック解除用第１操作キーを全て含んでいない場合（Ｓ４４においてＮＯ）、制御部２０は、処理を終了する。
【００７７】
さらに、携帯電話機１ａは、複数の第１操作キーのうち３以上の第１操作キーが同時に押下げられた場合に、現在の状態がキーロック解除状態の場合は、キーロック処理を実行し、キーロック状態の場合は、キーロックの解除処理を実行してもよい。
【００７８】
この場合、制御部２０は、第１操作キーの押下げを検知すると、現在の状態がキーロック解除状態かキーロック状態かを検知する。現在の状態がキーロック解除状態の場合は、Ｓ３〜Ｓ５、又はＳ１３〜Ｓ１６の処理を行う。現在の状態がキーロック状態の場合は、Ｓ３３〜Ｓ３５、又はＳ４３〜Ｓ４６の処理を行う。
【００７９】
また、キーロックをオンする動作で説明した内容と同様に、（ｉｉ）押下げられた第１操作キーに対応する処理が存在しない場合に、制御部２０は、そのまま処理を終了してもよい。さらには、（ｉｉｉ）押下げられた所定数以上の第１操作キーの中に電源キーが含まれている場合には、電源をオフする処理を優先的に実行させてもよい。
【００８０】
図１０は、（ｉｉ），（ｉｉｉ）を考慮したときの制御部２０の動作を示すフローチャートである。図１０に示すように、制御部２０は、第１操作キーの押下げがあるか否かを監視している（ステップ５１：Ｓ５１）。制御部２０は、第１操作キーの押下げを検知すると（Ｓ５１においてＹＥＳ）、現在の状態が第１操作キーによる操作が不能なキーロック状態であるか否かを検知する（ステップ５２：Ｓ５２）。
【００８１】
現在の状態がキーロック状態である場合（Ｓ５２においてＹＥＳ）、制御部２０は、同時に３以上の第１操作キーが押下げられたか否かを検知する（ステップ５３：Ｓ５３）。同時に押下げられた第１操作キーが３未満である場合（Ｓ５３においてＮＯ）、制御部２０は、処理を終了する。
【００８２】
同時に３以上の第１操作キーが押下げられた場合（Ｓ５３においてＹＥＳ）、制御部２０は、押下げられた第１操作キーの中に電源キーが含まれるか否かを検知する（ステップ５４：Ｓ５４）。
【００８３】
押下げられた第１操作キーの電源キーが含まれている場合（Ｓ５４においてＹＥＳ）、制御部２０は、電源をオフさせる（ステップ５５：Ｓ５５）。一方、押下げられた第１操作キーの中に電源キーが含まれていない場合（Ｓ５４においてＮＯ）、制御部２０は、キーロック解除処理を行う（ステップ５６：Ｓ５６）。
【００８４】
現在の状態がキーロック状態でない、すなわちキーロック解除状態である場合（Ｓ５２においてＮＯ）、制御部２０は、押下げられた第１操作キーに対応する処理があるか否か検知する（ステップ５７：Ｓ５７）。
【００８５】
押下げられた第１操作キーに対応する処理がある場合（Ｓ５７においてＹＥＳ）、押下げられた第１操作キーに対応する処理、すなわちそれらの第１操作キーが押下げられた場合に実行すべき処理を実行する（ステップ５８：Ｓ５８）。
【００８６】
押下げられた第１操作キーに対応する処理がない場合（Ｓ５７においてＮＯ）、制御部２０は、処理を終了する。
【００８７】
（第２の実施形態）
次に、本発明の第２の実施形態について説明する。本実施形態による電子機器についても、例として携帯電話機が挙げられる。図１１に示すように、携帯電話機１ｂは、第１の操作部１２を構成する複数の操作キー（第１操作キー）のうち３以上の操作キーが同時に押下げられ、かつ第２の操作部１３に含まれる操作キー（第２操作キー）が押下げられた場合に、キーロック処理又はキーロック解除処理を行う。以下に、図１２のフローチャートを用いて、キーロック処理の動作について具体的に説明する。なお、携帯電話機１ｂの構成について、第１の実施形態で述べた携帯電話機１ａと同様の構成については同一の符合を付し、説明を省略する。
【００８８】
図１２に示すように、制御部２０は、第１操作キーの押下げがあるか否かを監視している（ステップ６１：Ｓ６１）。制御部２０は、第１操作キーの押下げを検知すると（Ｓ６１においてＹＥＳ）、現在の状態がキーロック解除状態であるか否かを検知する（ステップ６２：Ｓ６２）。
【００８９】
現在の状態がキーロック解除状態でない場合（Ｓ６２においてＮＯ）、キーロック状態であるので、制御部２０は、処理を終了する。
【００９０】
現在の状態がキーロック解除状態である場合（Ｓ６２においてＹＥＳ）、制御部２０は、同時に３以上の第１操作キーが押下げられたか否かを検知する（ステップ６３：Ｓ６３）。同時に３以上の第１操作キーが押下げられた場合（Ｓ６３においてＹＥＳ）、制御部２０は、第２の操作部１３に含まれる第２操作キーも同時に押下げられたか否か検知する（ステップ６４：Ｓ６４）。
【００９１】
制御部２０は、筐体の正面（第一面）に設けられた第１操作キーと同時に筐体の側面（第二面）に設けられた第２操作キーが押下げられたことを検知すると、キーロック処理を行う（ステップ６５：Ｓ６５）。
【００９２】
ステップ６３において、同時に押下げられた第１操作キーが３未満である場合（Ｓ６３においてＮＯ）、およびステップ６４において、第２の操作部１３に含まれる第２操作キーが押下げられたことを検知しなかった場合（Ｓ６４においてＮＯ）、制御部２０は、押下げられた第１操作キーに対応する処理、すなわちそれらの第１操作キーが押下げられた場合に実行すべき処理を実行する（ステップ６６：Ｓ６６）。
【００９３】
次に、キーロック解除処理について説明する。図１３に示すように、制御部２０は、第１操作キーの押下げがあるか否かを監視している（ステップ７１：Ｓ７１）。制御部２０は、第１操作キーの押下げを検知すると（Ｓ７１においてＹＥＳ）、現在の状態がキーロック状態であるか否かを検知する（ステップ７２：Ｓ７２）。
【００９４】
現在の状態がキーロック状態でない場合（Ｓ７２においてＮＯ）、キーロック解除状態であるので、制御部２０は、押下げられた第１操作キーに対応する処理、すなわちそれらの第１操作キーが押下げられた場合に実行すべき処理を実行する（ステップ７３：Ｓ７３）。
【００９５】
現在の状態がキーロック状態である場合（Ｓ７２においてＹＥＳ）、制御部２０は、同時に３以上の第１操作キーが押下げられたか否かを検知する（ステップ７４：Ｓ７４）。同時に３以上の第１操作キーが押下げられた場合（Ｓ７４においてＹＥＳ）、制御部２０は、第２の操作部１３に含まれる第２操作キーも同時に押下げられたか否か検知する（ステップ７５：Ｓ７５）。
【００９６】
制御部２０は、第１の操作部１２に含まれる操作キーとともに第２の操作部１３に含まれる第２操作キーが押下げられたことを検知すると（Ｓ７５においてＹＥＳ）、キーロック解除処理を行う（ステップ７６：Ｓ７６）。
【００９７】
ステップ７４において、同時に押下げられた第１操作キーが３未満である場合（Ｓ５３においてＮＯ）、およびステップ７５において、第２の操作部１３に含まれる第２操作キーが押下げられたことを検知しなかった場合（Ｓ７５においてＮＯ）、制御部２０は、処理を終了する。
【００９８】
本実施形態による携帯電話機１ｂによれば、第１の操作部１２に含まれる操作キーだけでなく、第２の操作部１３に含まれる操作キーも同時に押下げられた場合に、キーロック処理又はキーロック解除処理を行うため、鞄の中で携帯電話機が他の物とぶつかって所定数以上の操作キーが誤って同時に押下げられた場合など、意図しないキーロック処理又はキーロック解除処理をより効果的に防止することができる。
【００９９】
（第３の実施形態）
次に、本発明の第３の実施形態について説明する。本実施形態による電子機器についても、例として携帯電話機が挙げられる。携帯電話機１ｃは、複数の第１操作キーのうち３以上の第１操作キーが同時に押下げられ、その押下げ時間があらかじめ設定された時間を超えた場合に、キーロック処理又はキーロック解除処理を行う。以下に、図１４のブロック図および図１５のフローチャートを用いて、その動作について具体的に説明する。なお、携帯電話機１ｃの構成について、第１，第２の実施形態で述べた携帯電話機１ａ，１ｂと同様の構成については同一の符合を付し、説明を省略する。また、図１４において、電源制御部２８、および電源Ｐｗは省略されている。
【０１００】
図１４に示すように、本実施の形態による携帯電話機１ｃは、第１操作キーの押下げ時間を計測する計測部３１を備える。例えば、制御部２０は、３以上の第１操作キーが同時に押下げられたことを検知すると、計測部３１に計測を開始するように指示する。計測部３１は、計測を始めてから、予め設定された時間が経過すると所定の信号を出力する。制御部２０は、その信号の出力を検知したときに、いまだ３以上の第１操作キーが同時に押下げられている場合には、キーロック処理又はキーロック解除処理を行う。
【０１０１】
また、計測部３１が一定の周期で信号を出力し、制御部２０が、その周期的に出力された信号に応じて予め設定された時間が経過したかどうかを判断してもよい。
【０１０２】
図１５に示すように、制御部２０は、第１操作キーの押下げがあるか否かを監視している（ステップ８１：Ｓ８１）。制御部２０は、第１操作キーの押下げを検知すると（Ｓ８１においてＹＥＳ）、現在の状態がキーロック解除状態であるか否かを検知する（ステップ８２：Ｓ８２）。
【０１０３】
現在の状態がキーロック解除状態でない場合（Ｓ８２においてＮＯ）、キーロック状態であるので、制御部２０は、処理を終了する。
【０１０４】
現在の状態がキーロック解除状態である場合（Ｓ８２においてＹＥＳ）、制御部２０は、同時に３以上の第１操作キーが押下げられたか否かを検知する（ステップ８３：Ｓ８３）。同時に３以上の第１操作キーが押下げられた場合（Ｓ８３においてＹＥＳ）、制御部２０は、第１操作キーが押下げられたまま所定の時間が経過したか否か検知する（ステップ８４：Ｓ８４）。
【０１０５】
制御部２０は、第１操作キーが押下げられたまま所定の時間が経過したことを検知すると、キーロック処理を行う（ステップ８５：Ｓ８５）。
【０１０６】
ステップ８３において、同時に押下げられた第１操作キーが３未満である場合（Ｓ８３においてＮＯ）、およびステップ８４において、第１操作キーが押下げられたまま所定の時間が経過しなかったとき、すなわち、所定の時間が経過する前に第１操作キーの押下げが中止された場合（Ｓ８４においてＮＯ）、制御部２０は、押下げられた第１操作キーに対応する処理、すなわちそれらの第１操作キーが押下げられた場合に実行すべき処理を実行する（ステップ８６：Ｓ８６）。
【０１０７】
本実施形態による携帯電話機１ｃによれば、その押下げ時間があらかじめ設定された時間を超えた場合に、キーロック処理又はキーロック解除処理を行うため、鞄の中で携帯電話機が他の物とぶつかって、一瞬３以上の第１操作キーが誤って同時に押下げられた場合など、意図しないキーロック処理又はキーロック解除処理をより効果的に防止することができる。
【０１０８】
なお、第２および第３の実施形態による携帯電話機１ｂ，１ｃにおいても、第１の実施形態による携帯電話機１ａと同様に、（ｉ）携帯電話１ｂ，１ｃが、待ち受け状態の場合のみ、キーロックをオンすることが可能であってもよく、（ｉｉ）押下げられた第１操作キーに対応する処理が存在しない場合には、制御部２０は、そのまま処理を終了してもよく、さらには、（ｉｉｉ）押下げられた所定数以上の第１操作キーの中に電源キーが含まれている場合には、電源をオフする処理を優先的に実行させてもよい。
【０１０９】
＜変形例＞
以上、本発明に係る電子機器について実施形態に基づいて説明したが、この電子機器を部分的に変形することもでき、本発明は、上述の実施形態に限られない。例えば、
（１）制御部２０は、所定数以上の第１操作キーが同時に押下げられたことを検知し、
その後、任意の、若しくは予め設定された第１又は第２の操作キーが押下げられた場合に、キーロック処理又はキーロック解除処理を実行してもよい。
【０１１０】
（２）また、制御部２０は、所定数以上の第１操作キーの押下げを、複数回連続して行った場合に、キーロック処理又はキーロック解除処理を実行してもよい。
【０１１１】
（３）第２の操作部１３は、筐体１０の側面に設けることとしたが、筐体１０の背面（正面の反対側の面）に設けてもよい。その場合、「第二面」には、筐体の背面が含まれる。
【０１１２】
（４）電源キーに限らず、その他の特定の操作キーについても、押下げられた操作キーの中に当該特定の操作キーが含まれている場合に、その特定の操作キーに対応する処理を優先的に実行させることができる。
【符号の説明】
【０１１３】
１ａ，１ｂ，１ｃ：携帯電話機
１０：筐体
１１：表示部
１２：第１の操作部
１３：第２の操作部
１４：スピーカ
１５：マイク
２０：制御部
【図１】
0005777436.tif 000002
【図２】
0005777436.tif 000003
【図３】
0005777436.tif 000004
【図４】
0005777436.tif 000005
【図５】
0005777436.tif 000006
【図６】
0005777436.tif 000007
【図７】
0005777436.tif 000008
【図８】
0005777436.tif 000009
【図９】
0005777436.tif 000010
【図１０】
0005777436.tif 000011
【図１１】
0005777436.tif 000012
【図１２】
0005777436.tif 000013
【図１３】
0005777436.tif 000014
【図１４】
0005777436.tif 000015
【図１５】
0005777436.tif 000016